(57)【要約】      （修正有）【課題】プレストレスが与えられた二軸補強を有するセメントモルタルパネルの建物に対する固定手段が、輸送及び貯蔵時に問題とならない固定手段を提供する。【解決手段】プレストレス二軸補強２を有するセメントモルタルパネル１は、２ｃｍから７ｃｍまでの範囲内の厚さを有して二軸補強２を含むセメントモルタルのスラブによって形成される。このスラブは、セメントモルタル塊内でパネルアッセンブリに多目的に動作するための手段を塞いでいて、その取扱いおよび／または建物構造体への固定を見込む。多目的動作手段は、その一部が、硬化されたセメントモルタル塊内で自らを保持するための手段５で構成され、かつ前者とは反対の別の部分が、パネル取扱い部材または建物構造体へ前記多目的動作手段を固定する部材のための固定手段６で構成される。【選択図】図５
2014031712.tif 000002
【特許請求の範囲】
【請求項１】
プレストレス二軸補強を有するセメントモルタルパネル、特には、建物の建設において、外部開口、即ちこの場合はその可視面が織り込まれて建物前面を形成する外部開口、および内部開口、即ちこの場合は建物の中庭を画定する可視面に織風は不要である内部開口の双方である建物構造体内の開口を閉止するための、セメントモルタルで予め製造されるタイプのパネルであって、
前記パネルは２ｃｍから７ｃｍまでの範囲内の厚さを有してプレストレス二軸補強を含むセメントモルタルのスラブで形成され、
該補強はプレストレス２連ケーブルまたはロッドで形成され、該ケーブルまたはロッドは１つの同じ連なりにおいて平行かつ等間隔でありかつ互いに付着されることなく直交してグリッドを形成し、
前記セメントモルタルスラブには、パネルアッセンブリ上で多目的に動作してこれの取扱いおよび／または前記建物構造体への付着を可能にするための手段が設けられ、
該多目的動作手段は、前記セメントモルタル塊内でその何れの表面からも広がることなく塞がれ、かつ前記グリッド内の幾つかのスペース内へ挿入され、
同時に、該手段自体は、一方の端で、固化される前記セメントモルタル塊内でのその保持のための手段を形成し、反対部分で、一時的に固定されるパネル取扱い部材および前記建物構造体へそれを固定するための固定用部材双方のための固定手段を形成し、
前記セメントモルタルパネルは、前記パネル取扱い部材が補足され、
前記パネル取扱い部材は、その一方の端に、前記多目的動作手段の前記固定手段と相補的な固定部分を装備し、そのもう一方の端に、自動把持デバイスと係合してもよい把持装置を備える固定ロッドからなることを特徴とする、プレストレス二軸補強を有するセメントモルタルパネル。
【請求項２】
前記セメントモルタルパネルへ多目的に動作するための前記手段はプラグによって実施され、前記プラグは、前記セメントモルタル塊内へ固化より前に挿入され、かつ前記二軸補強により形成される前記グリッドの前記内側のスペース内に、その保持手段が前記パネルの可視面まで広がることなく前記セメントモルタル塊内で前記プレストレス補強の下に収容され、一方で前記固定されるパネル取扱い手段および／または前記建物構造体へ前記パネルを固定するための固定用部材のための固定手段の端部分が前記パネルの隠れ面と同一平面であるようにして位置づけられることを特徴とする、請求項１記載のプレストレス二軸補強を有するセメントモルタルパネル。
【請求項３】
前記セメントモルタルパネルへ多目的に動作するための前記手段は、前記セメントモルタル塊内に前記セメントモルタル塊の固化中または固化後に作られかつ前記補強グリッドの前記内側のスペース内に位置づけられる穴によって実施され、パネル取扱い部材または前記建物構造体への固定用部材は前記穴の中に固定されることを特徴とする、請求項１記載のプレストレス二軸補強を有するセメントモルタルパネル。
【請求項４】
前記パネルを多目的に動作するための前記手段を形成する前記プラグは、一方の端に固化される前記モルタル内に前記パネルを保持するための前記手段を有し、残りの部分は前記固定手段を形成する短く厚い本体から成ることを特徴とする、請求項２記載のプレストレス二軸補強を有するセメントモルタルパネル。
【請求項５】
前記多目的動作手段を形成する前記プラグは、金属、合成／人造プラスチック、セラミック、セメントモルタルおよび水硬性セメントを含む群の材料から製造される本体によって形成されることを特徴とする、請求項２記載のプレストレス二軸補強を有するセメントモルタルパネル。
【請求項６】
前記プラグ内に設けられる前記保持手段は、前記プラグ本体の対応する端を限定する端周辺部分から半径方向の外向きに延びる１つまたは複数のショルダによって形成されることを特徴とする、請求項２記載のプレストレス二軸補強を有するセメントモルタルパネル。
【請求項７】
前記プラグ内に設けられる前記固定手段は、内部リリーフを装備する深い軸方向の盲穴によって形成され、かつ、前記プラグ本体の対応する端を限定しかつ前記パネルの前記隠れ面と同一平面にある平らな環状の端面の中心で開くことを特徴とする、請求項２記載のプレストレス二軸補強を有するセメントモルタルパネル。
【請求項８】
前記プラグ保持手段は、フランジとして形成される半径方向に広がるショルダによって形成されることを特徴とする、請求項５記載のプレストレス二軸補強を有するセメントモルタルパネル。
【請求項９】
前記保持手段を形成する半径方向に広がる前記ショルダは、スロットと穴により形成される群に属する補強のうちの少なくとも１つの通路のための装置を装備することを特徴とする、請求項８記載のプレストレス二軸補強を有するセメントモルタルパネル。
【請求項１０】
前記プラグの前記深い軸方向の盲穴に設けられる前記内部リリーフにより形成される前記固定手段は、ねじ山、バヨネットフィッティングおよびとげ面により形成される群のリリーフであることを特徴とする、請求項７記載のプレストレス二軸補強を有するセメントモルタルパネル。
【請求項１１】
前記プラグの固定手段は前記パネル取扱い部材によって一時的に補足され、前記パネル取扱い部材は、その前記深い軸方向の盲穴へ挿入可能であり、かつその挿入された位置で、ねじ切りされた端部分が前記プラグ本体の対応する端を限定する前記平らな環状端面の表面を超えて突き出すことを特徴とする、請求項１０記載のプレストレス二軸補強を有するセメントモルタルパネル。
【請求項１２】
前記プラグの固定手段は前記パネル取扱い部材によって一時的に補足され、前記パネル取扱い部材は、前記深い軸方向の盲穴に設けられるねじ山へ挿入可能であり、かつその挿入された位置で、ねじ切りされた端部分が前記プラグ本体の対応する端を限定する前記平らな環状端面の表面を超えて突き出すことを特徴とする、請求項１０記載のプレストレス二軸補強を有するセメントモルタルパネル。
【請求項１３】
前記パネルを動作可能な状態のままで前記建物構造体内に最終的に固定するための部材は、前記プラグ固定手段の前記深い軸方向の盲穴に挿入される一方の端と、前記パネルの前記隠れ面から延びて多角形プレートを通過するねじ部分を形成する上述の端とは反対側の他端とを有し、前記多角形プレートは、その１つの側面で前記建物構造体のクレードルにおけるその座を形成し、同時にこれは、前記ねじ部分上のその位置合わせ手段に関連づけられ、前記建物構造体からの前記パネルの距離を調整すべく前記ねじ部分に沿った任意のポイントにしっかりと位置づけられることが可能にされることを特徴とする、請求項２記載のプレストレス二軸補強を有するセメントモルタルパネル。
【請求項１４】
前記固定部材の前記ねじ部分上へ前記多角形プレートを位置合わせするための前記手段は、前記多角形プレートと一体式で前記固定部材の前記ねじ部分に沿った回転により移動されるねじ付きスリーブの配置、および２つのナットと協働する前記ねじ部分のための前記多角形プレートにおける貫通穴の配置を含む群の配置によって形成され、前記多角形プレートの各側面に１つずつ存在する前記２つのナットは、前記プレートを前記建物構造体からの所定距離におけるポイントで位置合わせしかつ固定するという意味で前記ねじ部分に沿った回転で移動されることを特徴とする、請求項１３記載のプレストレス二軸補強を有するセメントモルタルパネル。
【請求項１５】
前記位置合わせ手段を形成する前記多角形プレートは、前記構造体内に水平に設置されるＣ形セクションの下側のその一方の縁に座し、同時に、前記パネルから延びて前記多角形プレートへ付着される前記固定部材の前記ねじ部分は、前記Ｃ形セクションの２つのフランジ間で長さ方向に形成されるオープンスペースを通過することを特徴とする、請求項１３記載のプレストレス二軸補強を有するセメントモルタルパネル。
【請求項１６】
前記Ｃ形セクションは、前記セクション内に座した位置における前記多角形プレートの垂直サイズより小さい幅を有することを特徴とする、請求項１５記載のプレストレス二軸補強を有するセメントモルタルパネル。
【請求項１７】
前記Ｃ形セクションは、その上側かつ上部フランジ上の前記多角形プレートが座す側とは反対側に、前記パネル上に取り付けられる前記多角形プレートを垂直に挿入できるような大きさの通路間隙を有することを特徴とする、請求項１５記載のプレストレス二軸補強を有するセメントモルタルパネル。
【請求項１８】
前記パネルの最終的な設置位置において、前記多角形プレートは前記Ｃ形セクションの通路間隙が開いていないポイントに位置づけることを特徴とする、請求項１７記載のプレストレス二軸補強を有するセメントモルタルパネル。
【請求項１９】
前記パネルを動作可能な状態のままで前記建物構造体へ最終的に固定するための部材はねじから成り、前記ねじは、前記建物構造体内に保持された状態で、前記パネル内に挿入される前記プラグの前記固定手段の前記深い軸方向の盲穴に設けられるねじ山にねじ込まれることを特徴とする、請求項１２記載のプレストレス二軸補強を有するセメントモルタルパネル。
【請求項２０】
支持ロッドにより形成される前記取扱い部材は、前記固定手段を形成する前記プラグ本体の前記軸方向の盲穴内に固定されると同時に遮蔽板を保持し、前記遮蔽板は、テフロン（登録商標）加工が施された活性表面で前記プラグ本体の前記平らな環状の端面と、前記パネルの前記隠れ面を形成すべき金型内のモルタル表面とに係合し、前記金型を封入することを特徴とする、請求項１４記載のプレストレス二軸補強を有するセメントモルタルパネル。
【請求項２１】
前記自動把持デバイスの各々は、電気式、空気式および油圧式手段を含む群の手段によって駆動されるタイプの１つでありかつ前記取扱い部材の把持部分と相補的な把持手段を装備する機構から成ることを特徴とする、請求項１記載のプレストレス二軸補強を有するセメントモルタルパネル。
【請求項２２】
複数の自動把持デバイスは垂直の可動部を装備した水平フレームに組み込まれ、かつ前記フレーム内に、前記パネルを形成する前記セメントモルタルの新たな塊へ前記プラグを挿入するために企図される位置合わせに従って位置づけられることを特徴とする、請求項２１記載のプレストレス二軸補強を有するセメントモルタルパネル。
【請求項２３】
前記自動把持デバイスの前記フレームには、前記金型上へのその座りを限定するスペーサが装備されることを特徴とする、請求項２１記載のプレストレス二軸補強を有するセメントモルタルパネル。
【請求項２４】
前記プレストレス二軸補強を有するセメントモルタルパネルが設置される前記建物構造体は横材セクションを備え、前記横材セクションは、その側面の一方が直立材へ水平固定式に付着された状態で、前記固定側とは反対側にカンチレバー式に、かつ上向きに開いたチャネル状クレードルを形成する側面を有し、前記クレードルは、前記多目的動作手段の前記固定手段内に挿入される前記固定部材内に組み込まれる前記多角形プレートのための座を形成することを特徴とする、請求項１３記載のプレストレス二軸補強を有するセメントモルタルパネル。
【請求項２５】
前記パネルの前記可視面を形成するための前記セメントモルタル塊が載る前記金型の表面は、表面に決まったパターンが施されている場合のあるテフロン（登録商標）加工シートによって形成される底壁と、前記パネルの縁を形成するために前記モルタル塊を塗らなければならない、決まったパターンを有していないテフロン（登録商標）加工プレートにより形成される側壁とを備えることを特徴とする、請求項２記載のプレストレス二軸補強を有するセメントモルタルパネル。
【請求項２６】
プレストレス二軸補強を有するパネル、正確に言えば、好適にはセメントモルタルから成形されるパネルを製造するためのプロセスであって、
略平坦であって底壁と成形用側壁とクロージャカバーとで構成される金型を有することを特徴とし、
該プロセスは、
ａ．前記各金型内に、２連の鋼ケーブルまたはロッドにより形成されるストレスをかけられた二軸補強を施すステップであって、該各連なりにおいて、該ケーブルまたはロッドは互いに共平面、平行および等間隔であり、その直交する重ね合わせはグリッドを形成するステップと、
ｂ．前記金型にセメントモルタル塊を注入し、同じ厚さにするステップと、
ｃ．前記グリッドのスペースの幾つかに複数の多目的動作手段を挿入するステップであって、前記多目的動作手段は、一方の端で、固化される前記セメントモルタル塊内でのその保持のための手段を形成し、反対部分で、一時的に固定されるパネル取扱い部材および前記建物構造体へそれを固定するための固定用部材双方のための固定手段を形成するステップと、
ｄ．前記金型の上面を金型密閉カバーで閉止するステップと、
ｅ．前記閉止された金型をモジュラトンネル窯へ移すステップであって、前記モルタルは該窯内で予備硬化されるステップと、
ｆ．前記トンネル窯から漸次前記金型を取り出し、その各々から前記予備硬化されたパネルを剥ぎ取るステップと、
ｇ．前記予備硬化されたパネルを、あと硬化させるステップと、
ｈ．品質管理を行って、補強材の外部分岐をトリミングするステップとを含み、
前記パネル取扱い部材は、その一方の端に、前記多目的動作手段の前記固定手段と相補的な固定部分を装備し、そのもう一方の端に、把持装置を備える固定ロッドからなり、
前記ステップｃは、前記多目的動作手段の前記固定手段に固定される前記パネル取扱い部材を用い、前記クロージャカバーと異なり、垂直移動が可能であり、かつパネル内の前記多目的動作手段用に企図される位置合わせに従って位置付けられる複数の自動把持デバイスを装備する移動フレームを使用することによって実行され、
前記自動把持デバイスの各々は、対応する前記パネル取扱い部材の前記把持装置に係合されるプロセス。
【請求項２７】
前記底壁、前記側壁および前記金型クロージャ（密閉）カバーは、前記セメントモルタル塊に接触するそれらの表面をテフロン（登録商標）層で被覆されることを特徴とする、請求項２６記載のプレストレス二軸補強を有するパネルの製造プロセス。
【発明の詳細な説明】
【技術分野】
【０００１】
本発明は、その名称に示すように、プレストレスが与えられた二軸補強を有するセメントモルタルパネル、並びにその製造プロセスに関し、より正確には、セメントモルタルから予め作られるタイプのパネルに関する。前記パネルは、建物の建設において、外部開口、即ちその場合はその可視面が織り込まれて建物表面を形成する外部開口、および内部開口、即ちその場合は建物内部の中庭を画定するその可視面に織物は不要である内部開口の双方の建物構造体における開口を閉止するように設計される。
【背景技術】
【０００２】
本件の出願人は、特許ＥＳ ２ ２２０ １８９、ＵＳ６，８５７，２４１、実用新案ＥＳ １ ０４１ ８９６、ＥＳ １ ０４５ ５４３、ＥＳ １ ０５７ ８７４およびＥＳ １ ０５７ ８７５および特許出願ＥＰ １ ２０３ ８５０およびＷＯ０１０４４３３の保有者である。
【０００３】
上述の特許および広域／国際特許出願は全て、セメントモルタルで製造される、建物構造体における開口を閉じてその外部および内部前面を形成するための軽量パネルを製造するプロセスおよび／または手段を開示している。本パネルは、２ｃｍから６ｃｍまでの範囲内の縮小された厚さであり、かつプレストレスが与えられた二軸補強を有する。前記パネルは、パネル塊内へ挿入されかつ建物構造体への成形された固定用手段によってその隠れ面から広がって供給される。前記手段は、好適には、真っ直ぐなΩ断面の亜鉛めっき鋼断面の長さで形成される。
【０００４】
パネル塊に挿入される前記Ω型断面の長さには、前記Ω型断面のモルタル内への挿入作業、および、その結果として、モルタル塊がモルタル固化の発現時点で前記Ω形の長さの安定性を信頼し得るに足る硬さとなる時点まで安定的に保つ作業が精巧かつどちらかといえば骨折り仕事であること以外にも、前記Ω形の長さがパネルの隠れ面から突き出すという事実が輸送および貯蔵上における場所の問題を招来し、このような状況ではパネルの可視面に擦り傷が生じ得る危険性は排除されない、という欠点がある。
【発明の概要】
【０００５】
上述の欠点を克服する目的で、パネル自体に、原則的にはパネルの取扱いおよび輸送作業を実行するか、最終的に建物構造体にパネルを据え付けかつ固定するための多目的動作を実行できるようにする多目的動作手段を設ける解決手段が採用されている。
【０００６】
上述の解決手段に従って、本発明によるプレストレス二軸補強を有するセメントモルタルパネルが開発されている。従って、このセメントモルタルパネルは、２ｃｍから７ｃｍまでの範囲内の厚さを有しかつプレストレス二軸補強を含むセメントモルタルのスラブで形成される。補強は、プレストレス２連ケーブルまたはロッドで形成される。ケーブルまたはロッドは、１つの同じ連なりにおいて平行かつ等間隔であり、互いに付着されることなく直交してグリッドを形成する。セメントモルタルスラブには、パネルアッセンブリ上で多目的に動作してこれの取扱いおよび／または建物構造体への付着を可能にするための手段が設けられる。前記多目的動作手段は、セメントモルタル塊内でその何れの表面からも広がることなく塞がれ、幾つかのメッシュ間スペース内へ挿入される。同時に、これらの手段自体は、一方の端で、固化されるセメントモルタル塊内でのその保持のための手段を形成し、反対部分で、パネル取扱い部材および建物構造体へのその固定用部材双方のための固定手段を形成する。
【０００７】
本発明の１つの特徴は、セメントモルタルパネルへの多目的動作手段がプラグによって実施されるという事実から成る。これらのプラグは、セメントモルタル塊内へその固化より前に挿入され、かつ、二軸補強により形成されるグリッドの内側のスペース内に、その保持手段がパネルの可視面まで広がることなく前記セメントモルタル塊内でプレストレス補強の下に収容され、一方でパネル取扱い部材および建物構造体へのその固定用部材双方のための固定手段の端部分がパネルの隠れ面と同一平面であるようにして位置づけられる。
【０００８】
上述の特徴の１つの代替は、セメントモルタルパネルへの多目的動作手段が、セメントモルタル塊内にセメントモルタル塊の固化中または固化後に作られかつ補強グリッドの内側のスペース内に位置づけられる穴によって実施される可能性で構成される。前記補強グリッドの内側のスペースには適切な多目的動作手段が固定され、またはパネル取扱い部材および／または前記穴に連続的に直に挿入される建物構造体への固定用部材が設けられている。
【０００９】
パネル塊へ挿入されるプラグ形式による多目的動作手段の実施に関する本発明のさらなる特徴は、下記の事実によって確立される。 
ａ−パネル多目的動作手段を形成するプラグは、一方の端に固化されるモルタル内にパネルを保持するための手段を有し、残りの部分は固定手段を形成する短く厚い本体から成る。 
ｂ−多目的動作手段を形成するプラグは、金属、合成／人造プラスチック、セラミック材料、セメントモルタルおよび水硬性セメントを含む群から選択される材料で製造される本体によって形成される。 
ｃ−プラグ内に設けられる保持手段は、プラグ本体の対応する端を好適にはフランジ形式に限定する端周辺部分から半径方向に延びる１つまたは複数のショルダによって形成される。 
ｄ−保持手段を形成する半径方向に延びるショルダは、補強のうちの少なくとも１つの通路のためのスロットおよび穴を含む群の装置を装備する。 
ｅ−プラグ内に設けられる固定手段は、内部リリーフを装備する深い軸方向の盲穴によって形成され、かつ、プラグ本体の対応する端を限定しかつパネルの隠れ面と同一平面にある平らな環状の端面の中心で開く。前記深い軸方向の盲穴に設けられる内部リリーフは、ねじ山、バヨネットフィッティングおよびとげ面を含む群のリリーフによって形成される。
【００１０】
本発明のさらなる特徴は、プラグの固定手段が取扱い部材によって一時的に補足される、という事実により構成される。前記取扱い部材は、その深い軸方向の盲穴へ好適にはねじ式に挿入可能であり、かつその挿入された位置で、ねじ切りされた端部分がプラグ本体の対応する端を限定する平らな環状端面の表面を超えて突き出す。
【００１１】
本発明のさらなる特徴は、プラグ固定手段の深い軸方向の盲穴に一時的に係合可能な取扱い部材が保持ロッドから成るという事実にある。この保持ロッドは、その一方の端に固定手段と相補的な部分を装備し、かつ好適にはねじ切りされて、その他端にパネルの取扱いを見込む自動把持デバイスと相補的な把持部分を備える。
【００１２】
本発明のさらなる特徴は、パネルを動作可能な状態のままで建物構造体内に最終的に固定するための部材が、プラグ固定手段の深い軸方向の盲穴に挿入される一方の端と、パネルの隠れ面から延びて多角形プレートを通過するねじ部分を形成する上述の端とは反対側の他端とを有する、という事実に存する。このプレートは、その側面の一方で建物構造体のクレードルにおけるその座を形成し、同時に、これは前記ねじ部分上のその位置合わせ手段に関連づけられ、建物構造体からのパネルの距離を調整すべく前記ねじ部分に沿った任意のポイントにしっかりと位置づけられることが可能にされる。
【００１３】
上記に直に関連づけられる本発明のさらなる特徴は、プレストレス二軸補強を有するセメントモルタルパネルが設置される建物構造体が横材セクションを備えるという事実にある。この横材セクションは、その側面の一方が直立材へ水平固定式に付着された状態で、固定端とは反対側に張り出して上向きに開いたチャネル状クレードルを形成する端を有する。前記クレードルは、多目的動作手段の固定手段内に挿入される固定部材内に組み込まれる多角形プレートのための座を形成する。
【００１４】
上記２点に関連づけられる本発明のさらなる特徴は、固定部材のねじ部分上へ多角形プレートを位置合わせするための手段から成る。この手段は、多角形プレートへ固定式に付着された状態で固定部材の前記ねじ部分に沿って回転するねじ付きスリーブ、または２つのナットと協働する前記ねじ部分のための多角形プレートにおける貫通穴を含む群の配置によって形成されてもよい。多角形プレートの各側面に１つずつ存在する前記２つのナットは、建物構造体からの設定距離におけるポイントで位置合わせされかつ固定されるという意味で前記ねじ部分に沿って回転する。
【００１５】
本発明のさらに別の特徴は、位置合わせ手段を形成する多角形プレートが、構造体内に水平に設置されるＣ形セクションの下側のその一方の縁に座し、同時に、パネルから延びて前記多角形プレートへ付着される固定部材のねじ部分は、前記Ｃ形セクションの２つのフランジ間で長さ方向に形成されるオープンスペースを横断する、という事実にある。この場合、Ｃ形セクションの大きさは、多角形プレートのその座位置における垂直サイズより狭く、一方で、上部フランジ上のその上側、即ち多角形プレートが座す側とは反対である上側に、パネル内に取り付けられる多角形プレートを垂直に挿入できるような大きさの通路間隙を有する。その目的は、パネルの最終的な設置位置において、多角形プレートをＣ形セクションの通路間隙が存在しないポイントに位置づけることにある。
【００１６】
上述の特徴のさらなる代替的特徴は、パネルを動作可能な状態のままで建物構造体内に最終的に固定するための部材がねじから成る、という事実にある。このねじは、建物構造体内に保持された状態で、パネル内に挿入されるプラグの固定手段の深い軸方向の盲穴に設けられるねじ山にねじ込まれてもよい。
【００１７】
取扱い部材に関連づけられる本発明のさらなる特徴は、支持ロッドにより形成される前記取扱い部材が、固定手段を形成するプラグ本体の軸方向の盲穴内に固定されると同時に遮蔽板を保持する、という事実から成る。この遮蔽板は、テフロン加工が施されたその活性表面でプラグ本体の平らな環状の端面と、パネルの隠れ面を形成するモルタル表面とに係合し、金型を封入する。
【００１８】
本発明のさらなる特徴は、自動把持デバイスが各々、電気式、空気式および油圧式手段で形成される群から選択される手段によって駆動されるタイプでありかつ取扱い部材の把持部分と相補的な把持手段を装備する機構から成る、という事実により構成される。複数のこれらの自動把持デバイスは、垂直の可動部と金型上への前記デバイスの座りを限定するスペーサとを装備した水平フレームに組み込まれ、一方でこれらの自動把持デバイスは、パネルを形成するセメントモルタルの新たな塊へのプラグ挿入用に企図される位置合わせに従ってフレーム内に位置づけられる。
【００１９】
本発明のさらなる特徴は、パネルの可視面を形成するためのセメントモルタル塊が載る金型表面が、表面に決まったパターンが施されている場合のあるテフロン加工シートによって形成される底壁と、パネルの縁を形成するために前記モルタル塊を塗らなければならない、決まったパターンを有していないテフロン加工プレートにより形成される側壁とを備える、という事実にある。
【００２０】
最後に、一方で本発明は、本発明のプレストレス二軸補強を有するパネルの製造を正しく実行するためのプロセスを含み、底壁と成形用側壁とクロージャカバーとを有する略平面金型を使用するこのプロセスは、本質的に下記のステップから成る。 
ａ．各金型内に、２連の鋼ケーブルまたはロッドにより形成されるストレスをかけられた二軸補強を施すステップであって、その各連なりにおいて、ケーブルまたはロッドは互いに共平面、平行および等間隔であり、その直交する重ね合わせはグリッドを形成する。
ｂ．金型にセメントモルタル塊を注入し、同じ厚さにするステップ。 
ｃ．グリッドのスペースに複数のプラグを、多目的動作手段として挿入するステップ。このプラグには、モルタルが固まった後にパネル取扱いおよび／または固定部材が装備される。 
ｄ．金型の上面を金型密閉カバーで閉止するステップ。 
ｅ．閉止された金型をモジュラトンネル窯へ移すステップ。モルタルは、この窯内で予備硬化される。 
ｆ．トンネル窯から漸次金型を取り出し、その各々から予備硬化されたパネルを剥ぎ取るステップ。 
ｇ．予備硬化されたパネルを、あと硬化させるステップ。 
ｈ．品質管理を行って、補強エレメントの外部分岐をトリミングするステップ。
【００２１】
本発明によるプロセスのさらなる特徴は、下記の状況から成る。 
ｉ．モジュラトンネル窯における予備硬化ステップは、モルタル、補強材および多目的プラグの入った金型を温度５０℃で７時間保つことによって実行される。 
ｉｉ．モジュラトンネル窯におけるあと硬化ステップは、予備硬化されたパネルを温度５０℃および湿度９５％で４８時間保つことによって実行される。 
ｉｉｉ．底壁、側壁および金型クロージャカバーは、セメントモルタル塊に接触するそれらの表面をテフロン層で被覆される。
【図面の簡単な説明】
【００２２】
上述の着想の理解を容易にするために、以下、添付の図面を参照して、製造プロセスと、前記製造プロセスによって製造される、プレストレス二軸補強を有するセメントモルタルパネルから成る製品とを纏めた、本発明の目的の幾つかの好適な実施形態について説明する。但し、添付の図面は単に例示的性質のものであって、本発明の範囲に影響するものではない。
【図１】プレストレス二軸補強を有するセメントモルタルパネルの一部の断面図であり、本発明の多目的動作手段の１つを示す。
【図２】プレストレス二軸補強を有するセメントモルタルパネルにおける多目的動作手段の前記プレストレス二軸補強に対する分布を示す略図である。
【図３】本発明に従ってプレストレス二軸補強を有するセメントモルタルパネルを取扱いかつ建物構造体へ付着させるために採用されている多目的動作手段の一実施形態を形成するプラグを示す部分断面立面図である。
【図４】多目的動作手段と係合して、プレストレス二軸補強を有するセメントモルタルパネルの製造および建物の抵抗構造体への付着の間に前記モルタルパネルの取扱いおよび設置を可能にする、プレストレス二軸補強を有するセメントモルタルパネルのための取扱い部材の一実施形態を示す側面図である。
【図５】図３に示す多目的動作手段の実施形態によるプラグが、プレストレス二軸補強を有するセメントモルタルパネル内に塞がれかつ図４に示す取扱い部材の実施形態に係合された後の状態を示す部分断面立面図である。
【図６】建物の抵抗構造体の金属セクションにおける、プレストレス二軸補強を有するセメントモルタルパネルの固定ポイントを示す断面図である。
【図７】多角形プレートで形成されかつ２つのナットで構成されるその位置合わせ手段を含む、パネルを最終的に建物構造体へ固定するための部材の一実施形態を示す部分断面立面図である。
【図８】多角形プレートで形成されかつねじ付きスリーブで構成されるその位置合わせ手段を含む、パネルを最終的に建物構造体へ固定する部材の別の実施形態の細部を示す部分断面立面図である。
【図９】プレストレス二軸補強を有するセメントモルタルパネルのその準備／成形プロセスおよび金型からのその取外しプロセスの双方における取扱いを見込んだ部材群を示す略図である。
【図１０】前図と同様に、幾つかの部材の機能パーツに位置づけられる所定の細部を伴う部材群を示す。
【図１１】図１０および図１１の部材の動作フレームにおける配置を示す平面図である。
【図１２】図１０および図１１の事例と同様に、プレストレス二軸補強を有するセメントモルタルパネルの取扱いにおいて多目的動作手段に対して措置を講じることができるようにする自動把持デバイスの特定の実施形態を示す。
【図１３】二軸補強部材のうちの１つのための開路を有するプラグに関連づけられる多角形プレートにより形成される固定手段によって建物構造体のＣ形セクションにパネルを組み立てる詳細を示す部分断面図である。
【図１４】先行事例のように、図１３に含まれる部材を示すが、プラグは二軸補強部材のうちの１つのための密閉路を有する点が異なる。
【図１５】パネル用の水平支持セクションは、固定手段の多角形プレートを垂直に挿入するための間隙を有するＣ形セクションによって形成される、建物構造体の細部を示す斜視図である。
【図１６】左側ではパネルが設置され、一方、右側では多角形プレートの挿入プロセスにおけるパネルが示されている、間隙を有するＣ形セクションの立面図である。
【図１７】本発明によるセメントモルタルパネルの、その製造のための仮想産業プラントにおける位置に従った製造手段の配置を示す略図である。
【発明を実施するための形態】
【００２３】
図１は、建物構造体における多目的動作手段を組み込む、プレストレス二軸補強２を有するセメントモルタルのパネル１の小片を示す。ある好適な実施形態において、前記手段は、プレストレス二軸補強２により形成されるグリッドにおけるその配置を示す図２のように、前記パネル１内に位置づけられるプラグ３によって形成される。
【００２４】
図３は、前記プラグ３により形成されるパネル１の多目的動作手段の好適な一実施形態を詳細に示す。これは、一方の端にパネル１の硬化されたモルタル内で自らを保持するための手段５を有する短く厚い本体部分４から成る。手段５は、星形または他の形状の、かつ本事例ではフランジの形態を有する外向きに広がる多角形ショルダによって形成される。一方で、本体部分４の他の部分には、内部リリーフ８を有しかつ平らな環状の端面９の軸方向および中心へと開く深い軸方向の盲穴７によって形成される固定手段６が存在する。平らな環状の端面９は、プラグ３の本体部分４の対応する端を限定し、かつ図１に示すように、パネル１の隠れ面と同一平面に、隠れ面から突き出すことなく存在する。
【００２５】
パネル１のための上述の多目的動作手段に関連して、保持手段５は、図５に示すように、硬化前のモルタル塊内に、かつプレストレス二軸補強２により形成されるグリッド内に、前記補強の下へ、かつパネル１の可視面１０まで達することなく収容される。一方で、建物構造体への固定手段６は、その一部を、パネル１の隠れ面１１と同一平面にある平らな環状の端面９によって形成される。
【００２６】
固定手段６を形成するプラグ３の深い軸方向の盲穴７に施される内部リリーフ８は、図３に示すもの等のねじ山、バヨネットフィッティングおよび図示されていないとげ面を含む群に属する。
【００２７】
図４および図５に示すように、プラグ３の固定手段は、その深い軸方向の盲穴７と係合されてもよい、かつその固定位置においてプラグ３の本体部分４の対応する端を限定する平らな環状の端面９の表面から外向きに突き出す取扱い部材１２によって補足される。
【００２８】
前記取扱い部材１２の可能な一実施形態は、固定ロッド１３から成る。固定ロッド１３は、その一方の端に、プラグ３の固定手段６と相補的な固定部分１４を装備し、もう一方の端に、図９に示すように自動把持デバイス１６と係合してもよい把持装置１５を備える。
【００２９】
プラグ３により実施される多目的動作手段の第１の使用段階によれば、取扱い部材１２は、前記プラグ３の深い軸方向の盲穴７のねじ山８にねじ込まれてもよく、かつ支持ロッド１３から成る。支持ロッド１３は、図４および図５に示すように、その一方の端に、この事例ではねじ切りされかつプラグ３の前記ねじ山８と相補的な固定部分１４を有し、もう一方の端に、自動把持デバイス１６と係合してもよいスロート１７および面取り部１８により形成される把持装置１５を備える。
【００３０】
プラグ３により実施される前記多目的動作手段の第２の、かつ通常は決定的である使用段階においては、図６に示すように、プラグ３の深い軸方向の盲穴７と係合可能な取扱い部材１２が、前記プラグ３のねじ山８にねじ込むことができるタイプでありかつパネル１を建物構造体のセクション２０へ固定するためのねじ１９から成る固定部材によって置換される。ねじ１９は、保持用のワッシャまたは他の安全手段を伴っていてもよい。
【００３１】
図７には、パネル１を建物の構造体２２へ最終的に固定する部材２１の好適な一実施形態が示されている。この部材２１は、取外し可能な状態のままでプラグ３の固定手段６の深い軸方向の盲穴７に挿入される一端２３と、反対側の、パネル１の隠れ面１１から突き出しかつ建物構造体２２内にそのための座を形成する多角形プレート２５を通過するねじ部分を形成している他端２４とを有する。
【００３２】
建物構造体２２は、主として横方向セクション２６によって形成される。横方向セクション２６は、その一方の縁２８ｆで直立材２７へ水平に固定され、一方でその反対の縁に上向きに開いたチャネル形のクレードル２９を形成する。このようなクレードル２９は、最終的な固定部材２１へ付着される多角形プレート２５の１つの縁３０のための座を形成する。最終的な固定部材２１は、プラグ３により形成される多目的動作手段の固定手段６に挿入される。
【００３３】
多角形プレート２５には、クレードル２９におけるその側面のうちの１つの縁３０が座し、同時に多角形プレート２５は、端２４の前記ねじ部分にそのための位置合わせ手段を伴っていて、パネル１から建物構造体２２までの距離を調整しかつこれにより建物前面パネルの可視面１０が共平面であることを保証するために、多角形プレート２５を前記ねじ部分に沿った任意のポイントで固定的に位置づけることが可能にされる。
【００３４】
図７および図８に示すように、最終的な固定部材２１の端２４のねじ部分へ多角形プレート２５を位置合わせする手段は、図７に示すように、２つのナット３２および３３と協働して端２４の前記ねじ部分を通過させる多角形プレート２５内の貫通穴３１のそれを含む群の装置によって形成される。２つのナット３２および３３は、多角形プレート２５の各側面に１つ存在し、プレートを建物構造体２２から所定の距離を置いたポイントに位置づけかつ固定する意味合いで端２４の前記ねじ部分に沿って回転式に移動される。一方で、図８に示す前記位置合わせ手段は、多角形プレート２５と一体でありかつ最終的な固定部材２１の端２４の前記ねじ部分に沿って回転式に移動されるねじ付きスリーブ３４によって形成される。
【００３５】
図９には、下記事項に対する自動把持デバイス１６の位置合わせ、即ち、移動支持フレーム３５、プラグ３の本体部分４の軸方向の盲穴７に固定された後に支持ロッド１３により形成される取扱い部材１２、プレストレス二軸補強２を有するパネル１、建物前面に適切である可視織風を有して、金型ホルダ３７と共にパネル１の可視面１０を形成する金型のテフロン加工ベースプレート３６、および自動把持デバイス１６がプラグ３の前記本体部分４と共に、プラグ３の前記本体部分４およびパネル１の隠れ面１１のモルタルとの接触面がテフロン加工される遮蔽板３８を保持するという事実、に対する自動把持デバイス１６の位置合わせが示されている。
【００３６】
図１０に示すように、パネル１の縁を形成するためのモルタル塊を塗らなければならない金型の壁３９または側面の表面は、テフロン加工された底壁３６および遮蔽板３８のように、プレストレス二軸補強が通っていくテフロン加工プレートによって形成される。前記二軸補強は、金型ホルダ３７に取り付けられる液圧デバイス４０によってストレスを与えられ、金型ホルダ３７は回転ローラ４１上へ順次位置づけられる。
【００３７】
図１１には、水平移動フレーム３５のサポートの可能な実施形態が示されている。これは、垂直移動が可能であり、かつパネル１内のプラグ３用に企図される位置合わせに従って位置づけられる複数の自動把持デバイス１６を装備している。
【００３８】
図１２は、ほぼ図９および図１０に類似して、自動把持デバイス１６のための移動支持フレーム３５が金型上でのその座りを限定するスペーサ４１を装備することを示す。同時に本図は、流体作動シリンダ４５内で滑動するピストン４４のロッド４３により駆動される自動把持デバイス４２を装備した自動把持デバイス１６の一実施形態の１つの動作可能性を示している。
【００３９】
図１３には、一方で、その二軸補強２およびプラグ３を有するパネル１が示されている。二軸補強２およびプラグ３は、二軸補強２の部材２Ａのうちの１つがパネル１内のプラグ３の保持手段５により形成されるヘッド内に設けられるスロット４６内に延びるようにして互いに相対配置される。また他方で、本図は、多角形プレート２５の最終的な固定部材２１への組立て、および直立材２７へ水平に付着されるＣ形セクション４７におけるその縁３０による座りを示している。前記Ｃ形セクションは、底壁４８と、下部フランジ５０を伴う下側面４９と、上部フランジ５２を伴う上側面５１とを有し、下部フランジ５０と上部フランジ５２との間には、前記固定部材２１が通って延びる開いた長手方向スペース５３が存在している。
【００４０】
図１４には、図１３と同じ部材が示されているが、二軸補強２の部材２Ａは、パネル１内のプラグ３の保持手段５を形成するヘッド内に正反対に形成される穴５４を通って延びる。双方の図からは、部材２Ａに垂直な二軸補強２の部材２Ｂは前記ヘッドの近傍を、前記ヘッドに係合することなく延びることが分かるであろう。しかしながら、前記部材２Ｂは、部材２Ａのために設けられるスロット４６に対して垂直なスロットに沿って、または部材２Ａのための穴５４に対して垂直な穴を介して前記ヘッドに係合してもよいことが企図されている。
【００４１】
図１５には、直立材２７と、直立材２７へ水平に付着されるＣ形セクション４７とが見受けられる。Ｃ形セクション４７は、上側面５１および上部フランジ５２に付随する部分に影響しかつパネル１を最終的に固定するために多角形プレート２５Ａおよび２５Ｄを垂直挿入できるような大きさにされる通路間隙５４を有する。前記通路間隙５４の理解を容易にするために、これらの多角形プレート２５Ａおよび２５Ｂは、諸図において、パネルとは独立するものとして示されている。
【００４２】
前図において、多角形プレート２５Ａは、通路間隙５４によりＣ形セクション４７内に垂直に挿入されて多角形プレート２５Ｃの想像線で示される位置に達することができ、その後、この多角形プレート２５Ｃは本図の左へ移動されて多角形プレート２５Ａの位置に達することは留意されるべきである。この位置において、多角形プレート２５Ａはもはや垂直に移動できず、これにより、パネル１の位置合わせが保証される。
【００４３】
図１６には、パネル１Ａの最終的な位置合わせが示されている。この場合、多角形プレート２５ＡはＣ形セクション４７内にブロックされ、かつ通路間隙５４から離隔され、一方でパネル１Ｂは、Ｃ形セクション４７内へ挿入された後、移動されてパネル１Ａへ当接される。
【００４４】
本件のプレストレス二軸補強を有するセメントモルタルパネルの製造プロセスは、その主要なサイズのうちの１つを垂直位置にして、または２つの主要なサイズを水平位置にして配置されてもよい金型内でセメントモルタルを成形することによって達成される。水平位置は、好適にはフラット面パネルの製造用に採用され、垂直位置は、曲面、不整面または混合面を有するパネルの製造用に採用される。
【００４５】
前記成形動作のための適切な金型は、特には鋼である金属材料から製造され、パネルの可視面を製造するための下部ベースプレートと、パネルの縁を形成するための側壁と、固化段階においてモルタルから水分が気化することを回避すべく金型を密閉するためのクロージャカバーとによって形成される。
【００４６】
金属製ベースプレートは平滑であってもよく、かつパネルの可視面を飾る装飾織りを有する合成材料または他の材料のシートを支持してもよい。または、この金属製ベースプレートには、前記装飾織りが直に施されてもよい。全ての事例において、プレートの活性表面はテフロンコーティングで覆われることが極めて望ましい。
【００４７】
転じて、側壁およびクロージャカバーは、これらの成形面は建物に隠されるという理由で如何なるタイプの織風も有していないが、セメントモルタルに接触する、または対面するこれらの活性表面はテフロン層で覆われることが望ましい。
【００４８】
相補的に、金型は、パネルのセメントモルタル塊内に隠れることになる二軸補強のためのプレストレス手段を組み込んだ金型ホルダフレーム内に搭載され、セメントモルタルの予備硬化およびあと硬化のために、かつモルタルが固化した後に金型からパネルを剥がすためにトンネルへ入れ込むべく移動されるアッセンブリが形成される。
【００４９】
これまでに簡潔に述べたような金型を使用する場合、プレストレス二軸補強を有するセメントモルタルパネルを製造するための本発明によるプロセスのステップは、下記に記載しかつ図１７に示すようなものになる。 
ａ−金型の各々に２連の鋼ケーブルまたはロッドにより形成されるストレスをかけられた二軸補強を配置するステップＡ。これらの連なりの各々において、ケーブルまたはロッドは互いに共平面、平行および等間隔であり、その直交する重なりはグリッドを形成する。 
ｂ−金型にセメントモルタル塊を注入するステップＡ１および同じ厚さにするステップ。 
ｃ−グリッドのスペースに、多目的動作手段として複数のプラグを挿入するステップＡ２。このプラグには、セメントモルタルが固まると取扱い部材またはパネル固定部材の何れかが装備される。 
ｄ−固化したモルタルの予備硬化およびあと硬化の間にセメントモルタルから水分が気化することを回避するために、金型の上面を金型密閉カバーで閉止するステップＡ３。 
ｅ−閉止された金型をモジュラトンネル窯へ移すステップＢ。セメントモルタルは、この窯内で予備硬化される。 
ｆ−トンネル窯から漸次金型を取り出すステップＢ、その各々で予備硬化されたパネルを金型から剥ぎ取るステップＣ、かつ再使用のために金型をクリーニングするステップＤ。 
ｇ−予備硬化されたパネルをトンネル窯内であと硬化させるステップＥ。 
ｈ−品質管理を行うステップＦおよびプレストレス二軸補強外部分をトリミングするステップ。 
ｉ−貯蔵所で乾燥させるステップＧ、表面仕上げを行うステップＨ、クリーニングするステップＩ、塗装するステップＪ。
【００５０】
モジュラトンネル窯における予備硬化ステップは、金型をセメントモルタル、補強および多目的動作手段のプラグと共に温度５０℃で７時間保持することによって実行され、一方でモジュラトンネル窯におけるあと硬化ステップは、予備硬化の終わりで金型から剥ぎ取られたパネルを温度５０℃および湿度９５％で４８時間保持することによって実行される。
【図１】
2014031712.tif 000003
【図２】
2014031712.tif 000004
【図３】
2014031712.tif 000005
【図４】
2014031712.tif 000006
【図５】
2014031712.tif 000007
【図６】
2014031712.tif 000008
【図７】
2014031712.tif 000009
【図８】
2014031712.tif 000010
【図９】
2014031712.tif 000011
【図１０】
2014031712.tif 000012
【図１１】
2014031712.tif 000013
【図１２】
2014031712.tif 000014
【図１３】
2014031712.tif 000015
【図１４】
2014031712.tif 000016
【図１５】
2014031712.tif 000017
【図１６】
2014031712.tif 000018
【図１７】
2014031712.tif 000019
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
プレストレス二軸補強を有するセメントモルタルパネルであって、
前記パネル（１）は、２ｃｍから７ｃｍまでの範囲内の厚さを有し、プレストレス二軸補強（２）を含むセメントモルタルのスラブで形成され、
前記プレストレス二軸補強（２）は、プレストレス２連ケーブルまたはロッドで形成され、
前記ケーブルまたはロッドは、１つの同じ連なりにおいて平行かつ等間隔であり、互いに付着されることなく直交してグリッドを形成し、
前記セメントモルタルスラブには、プラグ（３）が設けられ、
前記プラグ（３）は、前記グリッド内の幾つかのスペース内へ挿入され、かつ前記セメントモルタルスラブ塊内でその何れの表面からも広がることなく塞がれ、
前記プラグ（３）自体は、一方の端で、前記セメントモルタル塊内で前記プラグ（３）を保持するための保持手段（５）を形成し、反対部分で、前記パネル（１）を取り扱うためのパネル取扱い部材（１２）または前記建物構造体に前記パネル（１）を固定するための固定部材（２１）双方を一時的に固定するための固定手段（６）を形成し、
前記パネル（１）は、前記プラグ（３）の前記固定手段（６）に固定される前記固定部材（２１）によって前記建物構造体に安定して固定され、
前記固定部材（２１）は、前記プラグ（３）の盲穴（７）に挿入される一端（２３）と、前記パネル（１）の面から突き出しかつ多角プレート（２５）を通過するねじ部分を形成する前記一端と反対側の他端（２４）とを有し、
前記多角プレート（２５）は、前記ねじ部分で前記多角プレート（２５）を位置合わせするための位置合わせ手段（３１，３２，３３；３４）と関連づけられ、
前記位置合わせ手段（３１，３２，３３；３４）は、前記パネル（１）と前記建物構造体との間の距離を調整すべく前記ねじ部分に沿った任意のポイントに前記多角プレート（２５）をしっかりと位置づけられることが可能にされ、
前記建物構造体は、直立材（２７）へ安定して固定された横材セクション（２６；４７）を備え、
前記横材セクション（２６；４７）は、前記直立材（２７）に取り付けられる一方の縁（２８；４８）と、前記一方の縁の反対側にカンチレバー式に、かつ上向きに開いたチャネル状クレードル（２９）が形成される形成される他方の縁とを有し、
前記クレードル（２９）は、前記多角プレート（２５）の１つの縁（３０）のための座を形成することを特徴とする、プレストレス二軸補強を有するセメントモルタルパネル。
【請求項２】
前記プラグ（３）内に設けられる前記固定手段（６）は、内部リリーフ（８）を装備する深い軸方向の盲穴（７）によって形成され、
前記内部リリーフ（８）は、ねじ山、バヨネットフィッティングおよびとげ面によって形成される群の１つであり、
前記深い軸方向の盲穴（７）は、前記プラグ（３）の本体の対応する端を限定しかつ前記パネル（１）の一面と同一平面にある平らな環状の端面（９）の中心で開くことを特徴とする、請求項１に記載のプレストレス二軸補強を有するセメントモルタルパネル。
【請求項３】
前記保持手段（５）は、前記プラグ（３）の一端にフランジとして形成される半径方向に広がるショルダによって形成されることを特徴とする、請求項１に記載のプレストレス二軸補強を有するセメントモルタルパネル。
【請求項４】
前記保持手段（５）を形成する半径方向に広がる前記ショルダは、スロットと穴により形成される群に属し、前記補強（２）を形成する前記ケーブルまたはロッドの少なくとも１つの通路のための配置（４６，５４）を装備することを特徴とする、請求項３に記載のプレストレス二軸補強を有するセメントモルタルパネル。
【請求項５】
前記固定部材（２１）の前記ねじ部分上へ前記多角形プレート（２５）を位置合わせするための前記位置合わせ手段（３１，３２，３３；３４）は、前記多角形プレート（２５）と一体式で前記固定部材（２１）の前記ねじ部分に沿った回転により移動されるねじ付きスリーブ（３４）、および前記固定部材（２１）の前記ねじ部分を通過させ、２つのナット（３２，３３）と協働する前記多角形プレート（２５）における貫通穴（３１）を含む群の１つの配置によって形成され、
前記多角形プレート（２５）の各側面の１つは、前記固定部材（２１）の前記ねじ部分に沿った回転で移動されることを特徴とする、請求項１に記載のプレストレス二軸補強を有するセメントモルタルパネル。
【請求項６】
前記横材セクションは、Ｃ形セクション（４７）によって形成され、
前記上向きに開いたチャネル状クレードルが形成された前記Ｃ形セクション（４７）の下側面（４９）には、前記多角プレート（２５）がその１つの縁（３０）によって座しており、
前記パネル（１）から延びて前記多角形プレート（２５）へ付着される前記固定部材（２１）の前記ねじ部分は、前記Ｃ形セクション（４７）の２つのフランジ（５０，５２）間で長さ方向に形成されるオープンスペースを通過することを特徴とする、請求項１に記載のプレストレス二軸補強を有するセメントモルタルパネル。
【請求項７】
前記Ｃ形セクション（４７）は、前記セクション内に座した位置における前記多角形プレート（２５）の垂直サイズより小さい幅を有することを特徴とする、請求項６に記載のプレストレス二軸補強を有するセメントモルタルパネル。
【請求項８】
前記Ｃ形セクション（４７）は、その上側（５１）かつ上部フランジ（５２）上の前記多角形プレート（２５）の座する１つの縁（３０）とは反対側に、前記パネル（１）上に取り付けられる前記多角形プレート（２５）を垂直に挿入できるような大きさの通路間隙（５４）を有することを特徴とする、請求項１０に記載のプレストレス二軸補強を有するセメントモルタルパネル。
【請求項９】
前記パネル（１）の最終的な設置位置において、前記多角形プレート（２５）は前記Ｃ形セクション（４７）の通路間隙（５４）が開いていないポイントに位置づけることを特徴とする、請求項８に記載のプレストレス二軸補強を有するセメントモルタルパネル。